(57)【特許請求の範囲】
【請求項１】
杵関節、臼関節、バネ作用片、段部および上顎からなる上顎形成部と、突起片、臼関節、開口軸受けおよび下顎からなる下顎形成部と、突起と紐掛け孔を形成した係止板、レバー軸、上顎押し突起およびレバー本体からなるレバー形成部により構成し、上記上顎形成部、下顎形成部、およびレバー形成部は、上記段部に上記上顎押し突起を当接させ、レバー軸を開口軸受けに臨ませ、上顎・下顎の杵関節を臼関節の入口に臨ませ、上記レバー軸を開口軸受けに、上記杵関節を臼関節に嵌め込んでなる紐状繋ぎ止め具。
【請求項２】
上記紐状繋ぎ止め具において、上記下顎後端の突起片を、上記係止板の突起が上方に越えて位置することにより上顎と下顎との噛み合い状態を固定するようにしてなる請求項１に記載の紐状繋ぎ止め具。
【発明の詳細な説明】
【０００１】
【発明の属する技術分野】
この発明は、例えばサスペンダーの端に取り付ける帯・紐状（以下、紐状という）などの繋ぎ止め具に関する。
【０００２】
【従来の技術】
一般的な紐状繋ぎ止め具１０として図４、図５に示すように、支点Ｐを構成する刃１１を含む上行部１２と横行部１３と下行交又部１４とで形成する懐１５の下行交又部１４下端から延びる下顎１６と、支点Ｐを構成する刃受け１７を含む下行部１８と横行部１９と上行交又部２０とで形成する懐２１の上行交又部２０の上端から延びる上顎２２と、上記懐１５，２１に差し込まれ上記上・下顎１６，２２とを開閉するためのカム２５およびレバー２３と、上・下顎１６，２２を開方向に付勢するスプリング２４とからなる構成としたものがある。
【０００３】
【発明が解決しようとする課題】
上記従来の紐状繋ぎ止め具は、上・下顎を開くためにスプリングが必要であり、挟持対象を掴んだ状態を固定する手段を持たないので、不用意にレバーに外力が当たると上・下顎が開いてしまう問題がある。
【０００４】
この発明は上記問題に鑑み、各部品に形成された嵌め合わせ関節部分を組み合わせることにより簡単に組み立てられ、引っ張り力が加わると上・下顎の噛みつき作用が働くようにし、かつ、挟持対象を掴んだ状態を固定する手段を設けることにより確実に掴持状態を維持できる紐状繋ぎ止め具を提供することを課題とする。
【０００５】
【課題を解決するための手段】
上記課題を解決するためにこの発明は、杵関節３３ａ，３３ｂ、臼関節３４ａ，３４ｂ、バネ作用片４３、段部３８および上顎３１からなる上顎形成部３１ａと、突起片４２、臼関節３４ａ，３４ｂ、開口軸受け４４および下顎３２からなる下顎形成部３２ａと、突起３７と紐掛け孔４１を形成した係止板４０、レバー軸３６、上顎押し突起４５およびレバー本体３５からなるレバー形成部３５ａにより構成し、上記上顎形成部３１ａ、下顎形成部３２ａ、およびレバー形成部３５ａは、上記段部３８に上記上顎押し突起４５を当接させ、レバー軸３６を開口軸受け４４に臨ませ、上顎３１・下顎３２の杵関節３３ａ，３３ｂを臼関節３４ａ，３４ｂの入口に臨ませて嵌め込んでなる。
【０００６】
上記の如く構成することにより、部品数が少なくなり、各部品は、関節を嵌め込むようにして組み立てられるので作業が容易になり、上・下顎はバネ作用片の働きにより開き、レバーの係止板を持ち上げることにより上顎押し突起が段部が押さえられて閉じ、かつ、突起は突起片の下から上に越えて上・下顎を閉じた状態を維持する。
【０００７】
レバーを押し下げると、突起が突起片を下向きに越えることとなり、上顎押し突起が開きバネ作用片の働きにより上・下顎を開となる。
【０００８】
【発明の実施の形態】
次に図１〜図３を参照しながらこの発明の実施形態を説明する。図１は部品分解斜視図、図２（ａ）は上・下顎が噛み合った状態の一部切り欠き正面図、（ｂ）は上・下顎が口を開けた状態の一部切り欠き正面図、図３は組み立て斜視図である。
【０００９】
この実施形態の紐状繋ぎ止め具３０は、上顎形成部３１a と下顎形成部３２a とレバー形成部３５a とからなる。
【００１０】
図１に示すように上顎形成部３１a は、上顎３１の上面両サイドに段部３８が形成され、後端中央に臼関節３４a とその両側に杵関節３３b ，３３b が形成され、上記臼関節３４a の反対側にはバネ作用片４３が形成されている。
【００１１】
下顎形成部３２a は、下顎３２の後端に突起片４２とその両側に臼関節３４b ，３４b が形成され、臼関節３４b ，３４b 間には杵関節３３a が形成され、その下顎側には開口軸受け４４が形成されており、上記突起片４２の幅は、上顎形成部３１a の両杵関節３３b ，３３b の間に嵌まり込む寸法で、上記臼関節３４b ，３４b は、上顎形成部３１a の杵関節３３b ，３３b に係合するようになっている。
【００１２】
レバー３５の中央にはレバー軸３６が一体に亘設されており、後端には突起３７と紐掛け孔４１を形成した係止板４０が一体に設けられ、作用端には、互いに内向きの突起４５が設けられている。
【００１３】
これら上顎形成部３１a 、下顎形成部３２a およびレバー形成部３５ａを組み立てるには、上顎形成部３１a の段部３８にレバー３５の突起４５を当接させ、その状態でレバー３５の軸３６を開口軸受け４４に臨ませ、上顎３１・下顎３２の杵関節３３a ，３３b を臼関節３４a ，３４b の入り口に臨ませて関節を嵌め込むように押し込むと図２および図３のように上顎・下顎形成部３１a ，３２a とレバー形成部３５a が一気に組み立てられる。
【００１４】
このように組み立てられた紐状繋ぎ止め具３０は、レバー３５の端が図２（ｂ）のように下がっているときは上顎形成部３１ａのバネ作用片４３が開口軸受け４４の上面を押し下げ、その反作用により上・下顎３１，３２が開くようになり、図２（ａ）のようにレバー３５が水平になると突起４５が上顎３１の段部３８を押し下げて上・下顎３１，３２が閉じるようになる。
【００１５】
またこの時、下顎３２の後端の突起片４２の端を係止板４０の突起３７が下から上方に越えて位置することにより上下顎３１，３２が閉じた状態を維持する。さらに、上下両顎３１，３２に挟まれた挟持対象物と紐掛け孔４１に掛けられた紐が引っ張られると、その張力が作用して上下両顎３１，３２が閉じる方向に作用し緩むことはない。
【００１６】
【発明の効果】
以上説明したようにこの発明によれば、部品数が少なくなり、各部品は、関節を嵌め込むようにして組み立てられるので組み立て作業が容易になり、上・下顎はバネ作用片の働きにより開き、レバーの係止板を持ち上げることにより上顎押し突起が段部を押えて閉じ、かつ、突起は下から上へ突起片を越えて閉じた状態が維持される。また、部品を分解した状態で出荷できるので荷姿が小さくなって運送費用を低減することができる。
【図面の簡単な説明】
【図１】部品分解斜視図
【図２】（ａ）この発明に係る実施形態の上・下顎が閉じた状態の一部切り欠き正面図
（ｂ）同上顎・下顎が口を開けた状態の一部切り欠き正面図
【図３】組み立て斜視図
【図４】（ａ）従来例の紐状繋ぎ止め具の上・下顎が閉じた状態の一部切り欠き正面図
（ｂ）同上・下顎が開いた状態の一部切り欠き正面図
【図５】同部品分解斜視図
【符号の説明】
３０  紐状繋ぎ止め具
３１  上顎
３１a   上顎形成部
３２  下顎
３２a   下顎形成部
３３a ，３３b   杵関節
３４a ，３４b   臼関節
３５  レバー
３５a   レバー形成部
３６  レバー軸
３７  突起（係止板の）
３８  段部
４０  係止板
４１  紐掛け孔
４２  突起片（下顎後端の）
４３  バネ作用片
４４  開口軸受け
４５  上顎押し突起
【図１】
0003793008.tif 000002
【図２】
0003793008.tif 000003
【図３】
0003793008.tif 000004
【図４】
0003793008.tif 000005
【図５】
0003793008.tif 000006